(57)【要約】【課題】画像データの保有者等の満足感を向上させ得る画像データの編成手法を提供する。【解決手段】入力部から入力され記憶部に記憶された複数の画像データを、１つ又は複数の画像データで構成される基本単位を複数個備えて構成される画像データ群における前記基本単位に割り当てる画像データ編成方法において、画像解析によって各画像データの画像評価値を設定するステップと、複数の画像データを複数のグループにグループ分けするステップと、一つのグループに属する画像データの前記画像評価値によってそのグループの評価値を決定するステップと、前記グループの夫々に対して、前記グループの評価値に応じて決定される数の前記基本単位を割り当てるステップと、各グループに属する画像データを、そのグループに割り当てられた前記基本単位の夫々に割り当てるステップとを含むステップが演算部により実行される。【選択図】図２
2011188393.tif 000002
【特許請求の範囲】
【請求項１】
入力部から入力され記憶部に記憶された複数の画像データを、１つ又は複数の画像データで構成される基本単位を複数個備えて構成される画像データ群における前記基本単位に割り当てる画像データ編成方法であって、
画像解析によって各画像データの画像評価値を設定するステップと、
複数の画像データを複数のグループにグループ分けするステップと、
一つのグループに属する画像データの前記画像評価値によってそのグループの評価値を決定するステップと、
前記グループの夫々に対して、前記グループの評価値に応じて決定される数の前記基本単位を割り当てるステップと、
各グループに属する画像データを、そのグループに割り当てられた前記基本単位の夫々に割り当てるステップとを含むステップが演算部により実行される画像データ編成方法。
【請求項２】
入力部から入力され記憶部に記憶された複数の画像データを、フォトブックにおける各ページに割り当てる画像データ編成方法であって、
画像解析によって各画像データの画像評価値を設定するステップと、
複数の画像データを複数のグループにグループ分けするステップと、
一つのグループに属する画像データの前記画像評価値によってそのグループの評価値を決定するステップと、
前記グループの夫々に対して、前記グループの評価値に応じて決定される数の前記ページを割り当てるステップと、
各グループに属する画像データを、そのグループに割り当てられた前記ページの夫々に割り当てるステップとを含むステップが演算部により実行される画像データ編成方法。
【請求項３】
複数の画像データを複数のグループにグループ分けするステップとして、前記画像データの生成日時データに基づいて、画像データ間の前記生成日時データの時間差がグループ化判別用の設定時間差より短いもの同士を一つのグループにまとめる処理を行う請求項２記載の画像データ編成方法。
【請求項４】
前記フォトブックにおける画像データの配置ページ総数が予め設定され、
前記画像データの生成日時データに基づくグループ分けを、グループ分け後のグループ数が、前記配置ページ総数に応じた許容最大グループ数以下となるように、前記グループ化判別用の設定時間差を変化させて繰り返す請求項３記載の画像データ編成方法。
【請求項５】
請求項１〜４のいずれか１項に記載の画像データ編成方法に記載の前記各ステップの処理をコンピュータにて実行させるコンピュータプログラム。
【発明の詳細な説明】
【技術分野】
【０００１】
本発明は、入力部から入力され記憶部に記憶された複数の画像データを、１つ又は複数の画像データで構成される基本単位を複数個備えて構成される画像データ群における前記基本単位に割り当てる画像データ編成方法に関する。
【背景技術】
【０００２】
かかる画像データの編成は、各種の用途において、多数の画像データを取り扱う際の取り扱いの便宜を図るものであり、複数の画像データを、１つ又は複数の画像データで構成される基本単位に割り当てて、所定の形式の画像データ群を編成する。
具体的な用途としては、例えば、下記特許文献１や下記特許文献２に記載のようなフォトアルバム（フォトブック）を作製する際の画像のレイアウトのために利用され得る。
【０００３】
画像データのレイアウト手法としては、下記特許文献１では、イベント情報に応じて選択された複数のテンプレートに応じて、各テンプレートで指定されている数の画像データを割り当てる手法をとっている。
【先行技術文献】
【特許文献】
【０００４】
【特許文献１】特開２００７−０４９３８７号公報
【特許文献２】特開２００６−７４５９０号公報
【発明の概要】
【発明が解決しようとする課題】
【０００５】
上記従来構成では、テンプレートを使用して、フォトアルバムの各ページに配置する画像を設定できるものの、必ずしも画像データの保有者等が満足できる画像データの割当とはならない場合もあった。
すなわち、テンプレートを使用して単に各画像データを割り当てるだけでは、例えば同じような画像が多いだけでそれほど価値のない画像が多くのページを占有してしまうような場合があった。
本発明は、かかる実状を鑑みてなされたものであって、その目的は、画像データの保有者等の満足感を向上させ得る画像データの編成手法を提供する点にある。
【課題を解決するための手段】
【０００６】
本出願の第１の発明は、入力部から入力され記憶部に記憶された複数の画像データを、１つ又は複数の画像データで構成される基本単位を複数個備えて構成される画像データ群における前記基本単位に割り当てる画像データ編成方法において、画像解析によって各画像データの画像評価値を設定するステップと、複数の画像データを複数のグループにグループ分けするステップと、一つのグループに属する画像データの前記画像評価値によってそのグループの評価値を決定するステップと、前記グループの夫々に対して、前記グループの評価値に応じて決定される数の前記基本単位を割り当てるステップと、各グループに属する画像データを、そのグループに割り当てられた前記基本単位の夫々に割り当てるステップとを含むステップが演算部により実行される。
【０００７】
すなわち、先ず、ある程度関連性のあるものと推定される画像データ同士でグループを作り、そのグループに属する画像データの画像評価値をもとにそのグループの評価値を作成して、そのグループの評価値に応じて、画像データ群全体においてそのグループの画像データが支配する基本単位の占める度合いを決定するのである。
これは、例えば、フォトブックにおける画像データのレイアウトに応用する場合では、前記グループの評価値に関して良い評価を得ているグループほど、フォトブックにおいて大きな割合を占有することを意味する。
【０００８】
又、本出願の第２の発明は、入力部から入力され記憶部に記憶された複数の画像データを、フォトブックにおける各ページに割り当てる画像データ編成方法において、画像解析によって各画像データの画像評価値を設定するステップと、  複数の画像データを複数のグループにグループ分けするステップと、一つのグループに属する画像データの前記画像評価値によってそのグループの評価値を決定するステップと、前記グループの夫々に対して、前記グループの評価値に応じて決定される数の前記ページを割り当てるステップと、各グループに属する画像データを、そのグループに割り当てられた前記ページの夫々に割り当てるステップとを含むステップが演算部により実行される。
【０００９】
すなわち、先ず、ある程度関連性のあるものと推定される画像データ同士でグループを作り、そのグループに属する画像データの画像評価値をもとにそのグループの評価値を作成して、そのグループの評価値に応じて、フォトブックのページ総数のうちのどれだけのページをそのグループの画像データが支配するかを決定するのである。
【００１０】
又、本出願の第３の発明は、上記第２の発明の構成に加えて、複数の画像データを複数のグループにグループ分けするステップとして、前記画像データの生成日時データに基づいて、画像データ間の前記生成日時データの時間差がグループ化判別用の設定時間差より短いもの同士を一つのグループにまとめる処理を行う。
すなわち、短い時間間隔で生成された画像データはある程度関連性の深いものであるとの推定のもとに、生成日時データの時間差による画像データのグループ分けを行う。
【００１１】
又、本出願の第４の発明は、上記第３の発明の構成に加えて、前記フォトブックにおける画像データの配置ページ総数が予め設定され、
前記画像データの生成日時データに基づくグループ分けを、グループ分け後のグループ数が、前記配置ページ総数に応じた許容最大グループ数以下となるように、前記グループ化判別用の設定時間差を変化させて繰り返す。
すなわち、フォトブックの作製においては、作製費用面等の種々の事情から、フォトブックの総ページ数を指定される場合が少なくない。
各ページに配置する画像データの振り分けはグループを基本に行うので、グループの数が、画像データの画像を配置できる総ページ数から決まる許容最大グループ数より多いと、グループ単位でのページの割り当てができなくなる。
そこで、生成日時データによるグループ分けを、グループ分けの判別指標である「グループ化判別用の設定時間差」を逐次に変化させて繰り返し、グループ数が適正数となるようにする。
【００１２】
又、本出願の第５の発明は、上記第１〜第４のいずれかの発明の前記各ステップの処理をコンピュータにて実行させるようにコンピュータプログラムを構成する。
すなわち、上述の画像データ編成方法は、コンピュータ処理させるのが合理的である。
【発明の効果】
【００１３】
上記第１の発明によれば、評価の高いグループほど画像データ群の中で占める割合が大となるので、画像データの保有者等の満足感を向上させ得る画像データの編成手法を提供できるものとなった。
又、上記第２の発明によれば、評価の高いグループほどフォトブック全体の中で占めるページの割合が大となるので、画像データの保有者等の満足感を向上させ得る画像データの編成手法を提供できるものとなった。
【００１４】
又、上記第３の発明によれば、画像データの生成日時データに基づいてグループ分けを行うことで、関連性の深い画像同士を的確にグループ化することができる。
又、上記第４の発明によれば、フォトブックにおける画像データの配置ページ総数が予め設定されている場合でも、それに適合させて的確にグループ分けを行うことができる。
【００１５】
又、上記第５の発明によれば、画像データの編成をコンピュータ処理にて簡単に行える。
【図面の簡単な説明】
【００１６】
【図１】本発明の実施の形態にかかるプリントシステムの全体構成を示す図
【図２】本発明の実施の形態にかかるフォトブックにおける画像の配置例を示す図
【図３】本発明の実施の形態にかかるフローチャート
【図４】本発明の実施の形態にかかるフローチャート
【図５】本発明の実施の形態にかかるフローチャート
【発明を実施するための形態】
【００１７】
以下、本発明の実施の形態を図面に基づいて説明する。
本発明の画像データ編成方法は、複数の画像データを、１つ又は複数の画像データで構成される基本単位を複数個備えて構成される画像データ群における前記基本単位に割り当てる処理操作を行うものであり、より具体的には、本実施の形態では、複数の画像データを、フォトブックにおける各ページに割り当てる処理操作に本発明の画像データ編成方法を適用している。
すなわち、フォトブックは、画像データの画像を配置する各ページを基本単位とし、その基本単位を複数個（すなわち、複数ページ）備えて構成される画像データ群として把握できる。
【００１８】
上記の複数の画像データの前記基本単位（すなわち、フォトブックのページ）への割り当ては、複数の画像データをいきなり割り当てるのではなく、先ず、複数の画像データを、所定の関係を有すると推定される複数のグループにグループ分けし、そのグループを、複数の画像データの画像をフォトブックの各ページに割り振る際の単位として利用している。
フォトブックＦＢ（「フォトアルバム」と称される場合もある）は、見開いた状態を示す図２のように、写真撮影画像等の画像データを各ページに配置して１冊の本の形式にまとめたものである。
【００１９】
フォトブックＦＢは、コンピュータ上の仮想的なものでなく、記録紙に画像をプリントして実際の本として構成する場合には、図１に例示するようなプリントシステムＰＳを使用して作製される。
図１に例示するプリントシステムＰＳは、インクジェット式のプリンタ１と、プリント注文受付端末２とで構成されており、更に、図示を省略する製本装置も備えて、製本まで自動化することも可能である。
【００２０】
プリンタ１は、フォトブックＦＢの製本作業を容易に行えるようにするために、１枚の記録紙１２の両面にプリントできる機能を有しているものであり、プリントヘッド１１による画像形成位置を、１枚の記録紙１２が表裏を切り換えて搬送されるようにする記録紙搬送系ＰＴを備えている。
記録紙搬送系ＰＴは、所定のサイズに切断された記録紙１２をプリントヘッド１１による画像形成位置に向けて給送する給送ローラ１３や、プリントヘッド１１の画像形成位置において記録紙１２を搬送駆動するプリント用搬送ローラ１４の他、多数の搬送ローラ１５が備えられ、図示を省略するモータ等の駆動手段にて回転駆動されている。
【００２１】
記録紙搬送系ＰＴの搬送経路は、プリントヘッド１１にて画像形成後にＵ字状にターンし、搬送経路の終端近くに位置する経路切換えユニット１６にて、記録紙１２がそのまま排出される状態と、両面プリントのための帰還経路１７へ送られる状態とに切り換えられる。
経路切換えユニット１６は、図１に実線で示す姿勢と、２点鎖線で示す姿勢とに遥動駆動され、記録紙１２を排出するときは、実線で示す姿勢のままで記録紙１２を搬送して排出し、帰還経路１７へ送るときは、記録紙１２を保持した状態で、実線で示す姿勢から２点鎖線で示す姿勢に変化して、スイッチバックする状態で記録紙１２の表裏を切り換えて帰還経路１７へ送る。
【００２２】
プリント注文受付端末２は、プリントショップ等の店頭に設置されて、基本的には顧客が自身で操作をすることを予定している。
プリント注文受付端末２には、画像データを記録した各種の記録媒体を読み取る画像データ入力部２１と、モニタ２２と、モニタ２２の画面上に備えらるタッチパネル式の入力操作受付部２３と、プリント注文受付端末２全体の動作を制御する制御部２４とが備えられている。制御部２４は実質的にパーソナルコンピュータで構成され、画像データ入力部２１，モニタ２２及び入力操作受付部２３は、それの周辺機器として接続されている。
【００２３】
本発明の画像データ編成方法は、それらの方法を実施するコンピュータプログラムとして、制御部２４の記憶装置に記憶保持され、制御部２４にて実行される。
以下、本発明の画像データ編成方法を実施するコンピュータプログラムの具体的な処理内容について、演算部である制御部２４が実行する図３乃至図５に示すフローチャートに基づいて説明する。
【００２４】
本実施の形態では、本発明の画像データ編成方法を、フォトブックＦＢの作製する際に各画像データの画像をフォトブックＦＢの各ページにどのように配置するかをコンピュータ処理にて決定する処理の一部を構成するものとして実装している。
この処理が、図３のフローチャートにおいて「レイアウト処理」として示すものである。
【００２５】
図３の「レイアウト処理」では、相互に関連性を有するものと推定される画像同士をグループ化して、複数の（多数の）画像データを複数のグループにグループ分けし、フォトブックＦＢの各ページに同じグループの画像データの画像がまとまった状態で配置されるようにする処理である。
本実施の形態では、フォトブックを見開いた状態の左右のページ（見開きページ）を基本単位として、その基本単位の見開きページに複数のグループの画像が混在することがないように画像データ（厳密には、画像データの画像）をレイアウトする。
【００２６】
図３の「レイアウト処理」は、顧客が多数の画像の画像データを記録した記録媒体をプリント注文受付端末２の画像データ入力部２１にセットして、各画像データのファイルを順次にプリント注文受付端末２に読み取らせて入力され、制御部２４のメモリ（記憶部）に記憶された後、入力操作受付部２３から、フォトブックＦＢの作製指示と、そのフォトブックＦＢにおける画像のレイアウトを自動で行う旨の指示入力とを行うに伴って実行が開始される。
【００２７】
制御部２４は、図３の処理を開始すると、先ず「画像評価値判定処理」を呼び出して実行させる（ＳＴＥＰ＃１）。
この「画像評価値」は、夫々の画像データの画像解析を行って、各種の判定条件によって画像データの画像の良し悪しを判定し、画像の良さとして数値化したものであり、画像を評価するための種々の手法が知られている。本実施の形態でも、画像評価値の導出自体は公知の手法を用いている。
【００２８】
全ての画像データについて画像評価値を求めると、次に、図４のフローチャートに具体的な処理を示す「一次グループ化処理」を実行する（ＳＴＥＰ＃２）。
図４の「一次グループ化処理」は、画像データの生成日時データに基づいて画像データのグループ分けを行うもので、処理対象の画像データの性質上、ほとんどの場合、「生成日時データ」は「撮影日時データ」を意味する。
本実施の形態では、フォトブックＦＢにおける画像データ（厳密には、画像データの画像）の配置ページ総数が予め設定されている場合を例示して、その場合のグループ分けを説明する。
上述のように、フォトブックＦＢの見開きページ（見開き状態の左右２ページ）には複数のグループの画像が混在せず、単一のグループ内の画像データを配置するレイアウトとするので、見開きページのページ数（すなわち、画像データの配置ページ総数の１／２）が許容最大グループ数となる。
【００２９】
図４の「一次グループ分け処理」では、先ず、全ての画像データを生成日時データで時系列に並べて、隣合う画像データ間の生成日時の時間差を求め、その時間差の平均値を「グループ化判別用の設定時間差」（図４では「判別用時間差」と略記）の初期値とする（ＳＴＥＰ＃３１）。
【００３０】
次に、生成日時データで時系列に並べた画像データを時系列に辿って、画像データ間の生成日時データの時間差が、相互に上記「グループ化判別用の設定時間差」より短いもの同士を一つのグループにグループ化する（ＳＴＥＰ＃３２）。
生成日時データの時間差が短い画像同士は、例えば、旅行先の同じ場所で撮影される等した可能性が高く、所定の関係を有するものと推定されるので、先ず、この「グループ化判別用の設定時間差」を基準としてグループ分けを行う。
【００３１】
ＳＴＥＰ＃３２のグループ分けの結果生成したグループの数が、フォトブックＦＢのページ数に応じて設定される前記許容最大グループ数以下か否かを確認する（ＳＴＥＰ＃３３）。
尚、上記のように、「グループ分け」との関係では、見開きページを単位として考えるので、以下において、フォトブックＦＢのページ数として、見開き状態の左右２ページを「１ページ」としてページ数を表現する場合がある。
【００３２】
ＳＴＥＰ＃３２でグループ分けしたグループ数が、上記の許容最大グループ数（本実施の形態では、見開きページ数と同一であり、画像を配置する総ページ数の１／２に相当）より多い場合は（ＳＴＥＰ＃３３）、その時点の「グループ化判別用の設定時間差」にＳＴＥＰ＃３１で求めた「グループ化判別用の設定時間差」の初期値を加算して、新たに「グループ化判別用の設定時間差」とし（ＳＴＥＰ＃３４）、ＳＴＥＰ＃３２のグループ分けをやり直す。
「グループ化判別用の設定時間差」が大となるので、１つのグループに属する画像データ数が大となり、グループ数が減少するのであるが、それでも上記の許容最大グループ数よりグループ数が多い場合には、更に、「グループ化判別用の設定時間差」に「グループ化判別用の設定時間差」の初期値を加算して（ＳＴＥＰ＃３４）、ＳＴＥＰ＃３２のグループ分けをやり直し、「グループ化用の設定時間差」を逐次に変化させて、生成したグループの数が上記の許容最大グループ数以下になるまで、生成日時データに基づくグループ分けを繰り返す。
【００３３】
このようにして、画像データの生成日時データによる一次グループ化が完了すると、二次グループ化として、上記の画像評価値を利用して一次グループ化によって生成したグループの再編成を行う。
具体的な処理として、一つのグループに属する画像データの画像評価値に基づいて各グループの評価値を算出する（図３のＳＴＥＰ＃３）。本実施の形態では、グループの評価値は、単純に、そのグループに属する画像データの画像評価値の総和をとる。
【００３４】
このようにしてグループの評価値を求めた後、各グループ毎に、そのグループの評価値が判別用評価値より大きいか否かを確認する（ＳＴＥＰ＃４）。この判別用評価値は、本実施の形態では、見開きページの１ページ分に配置できる画像数等との関係で、経験的に設定されている値である。この判別用評価値と前記グループの評価値との大小比較によって、そのグループを他のグループと合体するかあるいは単独のグループとして維持するかを決定する。
【００３５】
グループの評価値が判別用評価値より大きい場合には、何もせずそのグループをそのまま維持させる。
一方、グループの評価値が判別用評価値以下である場合には、結合先のグループを特定して（ＳＴＥＰ＃５）、その結合先のグループと結合させ（ＳＴＥＰ＃６）、グループの総数を減じる。
結合先のグループは、画像データの生成日時データによる時系列の並びで隣合うグループである。隣合うグループのうち先行するグループあるいは後続のグループのいずれであるかは、先行あるいは後続のいずれかに予め決めておいても良いし、先行あるいは後続のグループのうちの画像数の少ない方のグループを結合先と特定しても良く、更には、先行あるいは後続のグループのうちのグループの評価値の小さい方のグループを結合先と特定するようにしても良い。又、先行のグループと後続のグループとのうち、生成日時データで時間的に近い方のグループを結合先のグループとしても良い。
上記の処理を各グループ毎に繰り返すことで（ＳＴＥＰ＃７）、グループ分け処理が完了する。
【００３６】
画像データのグループ分け処理が完了すると、フォトブックＦＢの各ページに類似画像が並んで配置されることのないように、図５に示す「類似画像除去処理」を実行して各グループから類似画像を除去する（ＳＴＥＰ＃８）。
図５の「類似画像除去処理」では、画像データの色合いの類似度合いと生成日時データの時間差とによって類似画像を推定する。
先ず、１つのグループ内で、そのグループに属する画像データの色合いの類似度を算出する（ＳＴＥＰ＃４１）。
【００３７】
具体的な処理としては、グループ内において生成日時データによる時系列の並びで隣合う画像データについて、画像データにおけるＲＧＢ成分夫々のヒストグラムを作成し、比較する画像データ間でのＲＧＢ成分夫々についてヒストグラムを共通部分の量を一致度として求める。そして、その一致度のＲＧＢでの平均値を類似度として求める。
【００３８】
この類似度を、多数の画像の解析によって決定した類似判別値と比較して、類似判別値より大きい値のものを類似画像として特定する（ＳＴＥＰ＃４２）。
次に、類似画像として特定された一群の画像データの中から前記画像評価値によってそのグループに残す画像データを特定する共に、他の画像データをグループから除外する（ＳＴＥＰ＃４３）。より具体的には、生成日時データによる時系列の並びで連続する複数の類似画像の中から、上記の画像評価値の最も高い画像データをそのグループに残し、残りの画像データをそのグループから削除する。
【００３９】
次に、そのグループ内で画像データの生成日時データによって類似画像を推定する。
これは、画像データの生成日時データの時間差が短いとき、それらの画像データがいわゆる連写によって撮影された画像であると推定できるからであり、それらの連写画像は、通常、ほとんど同一の画像になっている場合が多い。
先ず、グループ内の画像データを生成日時データによって時系列に並べて、各画像データ間の生成日時データの時間差を求める（ＳＴＥＰ＃４４）。
【００４０】
求めた時間差が「時間差判別値」より短いか否かを判別し、上記「時間差判別値」より短い時間差で一連に並ぶ複数の画像データを類似画像と推定する（ＳＴＥＰ＃４５）。この「時間差判別値」は、上記の連写画像と識別するための時間差であり、数秒程度の短い時間に設定されている。
画像データの生成日時データから類似画像を特定すると、類似画像として特定された一群の画像データの中から前記画像評価値によってそのグループに残す画像データを特定する共に、他の画像データをグループから除外する（ＳＴＥＰ＃４６）。より具体的には、生成日時データによる時系列の並びで連続する複数の類似画像の中から、上記の画像評価値の最も高い画像データをそのグループに残し、残りの画像データをそのグループから削除する。
以上の処理操作を、全てのグループについて繰り返す（ＳＴＥＰ＃４７）。
【００４１】
各グループ内での類似画像の除去処理が終了すると、グループ単位で、各グループに属する画像データの配置に使用する使用ページ数を割り当てる。尚、ここでのページ配分は、上述のように、見開きの左右のページを合わせて「１ページ」としている。
各グループへのページ配分は、ＳＴＥＰ＃３で求めたものと同等の各グループの評価値を利用するが、グループの再編成や類似画像の除去を行っているので、最新のグループ分けにおいて、ＳＴＥＰ＃３と同一の処理で各グループの評価値を算出する（ＳＴＥＰ＃９）。
最新の各グループの評価値を求めると、各グループの夫々に対して、上記のグループの評価値に応じて決定される数のページを割り当てる（ＳＴＥＰ＃１０）。具体的には、グループの評価値で評価が高いグループほど配分ページ数が多くなるように、比例配分によって各グループへのページ配分を決定する。
【００４２】
次に、各グループ毎に、配分されたページへの画像の割当を行う（ＳＴＥＰ＃１１）。
各グループに属する画像データを、そのグループに割り当てられたページの夫々に割り当てる処理では、画像評価値に基づいて、評価の高い画像データを優先してページに割り当てる処理形態になっている。
更に、各グループに属する画像データを、そのグループに割り当てられたページの夫々に割り当てる処理では、画像評価値に基づいて、評価の高い画像データほどページにおける占有面積が大となるように設定する処理形態になっている。
【００４３】
配分されたページへの画像の割当が全てのグループについて完了すると（ＳＴＥＰ＃１２）、フォトブックＦＢの各ページへの画像データの割当が全て完了する。
制御部２４は、以上の処理が完了すると、上述のように決定したテンプレートと画像データとを合成してプリンタ１のプリント制御装置１８へ送り、プリント処理させる。
【００４４】
〔別実施形態〕
以下、本発明の別実施形態を列記する。
（１）上記実施の形態では、少なくとも見開き１ページ（見開きの左右両ページ）内は、同一グループの画像データの画像を配置する場合を例示しているが、見開きの左右のページ夫々において、１つのグループが配置されるようにしても良い。
【００４５】
（２）上記実施の形態では、フォトブックＦＢを、記録紙１２に画像をプリントして実際の本として構成する場合を例示しているが、図２に例示するようなフォトブックＦＢの態様でモニタ画面上に表示させる仮想的なフォトブックＦＢ、換言するとデータファイルとしてのフォトブックＦＢを作製する場合にも本発明を適用できる。
【００４６】
（３）上記実施の形態では、本発明の画像データ編成方法をコンピュータプログラムとして、プリント注文受付端末２の制御部２４に実装する場合を例示しているが、上記コンピュータプログラムを一般に配布して、各家庭に設置されたパーソナルコンピュータにて図３に示す処理を実行させ、それによって決定した画像データのフォトブックへのレイアウト指示情報と実際の画像データとをプリントショップ等へ持ち込み、フォトブックＦＢとしてプリント処理させるような運用も可能である。
【符号の説明】
【００４７】
ＦＢ  フォトブック
【図１】
2011188393.tif 000003
【図２】
2011188393.tif 000004
【図３】
2011188393.tif 000005
【図４】
2011188393.tif 000006
【図５】
2011188393.tif 000007